(57)【特許請求の範囲】
【請求項１】
信号光の偏波状態を回転駆動させる偏波状態回転部と、
前記信号光についての変調の速度および方式ならびに当該信号光が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴とする、偏波スクランブラ。
【請求項２】
該回転速度制御部が、
前記信号光についての変調の速度および方式ならびに当該信号光が伝送されることとなる伝送経路の偏波モード分散の値についての情報を受け取る情報受取部と、
信号光についての変調の速度および方式ならびに当該信号光が伝送されることとなる伝送経路の偏波モード分散の値の組み合わせに応じた、前記偏波状態を回転させるべき速度情報を保持する速度テーブルと、
該情報受取部で受け取った前記信号光についての変調の速度および方式ならびに当該信号光についての伝送経路の偏波モード分散の値の組み合わせをもとに、該速度テーブルを参照することにより、前記信号光についての偏波状態を回転させるべき速度情報を決定し該偏波状態回転部に対してその旨の制御信号を出力する制御信号出力部と、をそなえ、
該偏波状態回転部が、
駆動信号に基づいて入力信号光についての偏波状態を回転させる回転部と、
該制御信号出力部からの制御信号における速度情報に従って、該回転部での偏波状態の回転を駆動すべく前記駆動信号を該回転部に出力する回転駆動部と、
をそなえたことを特徴とする、請求項１記載の偏波スクランブラ。
【請求項３】
信号光を波長成分単位に分波するとともに前記分波した波長成分単位の信号光のうち少なくとも一つの波長成分の信号光についてドロップポートを通じて出力しうる分波部と、前記分波した波長成分単位の信号光をスルーポートを通じて入力されうるとともに、前記入力された信号光を、アドポートを通じて入力される信号光とともに合波して出力しうる合波部と、をそなえるとともに、
該合波部を通じて出力される対象となる信号光をなす少なくとも一つの波長成分について偏波状態を回転させる偏波スクランブラがそなえられ、
かつ、該偏波スクランブラが、
該合波部を通じて出力される対象となる信号光をなす波長成分ごとに偏波状態を回転させる少なくとも一つの偏波状態回転部と、
前記信号光をなす波長成分について、変調の速度および方式ならびに当該波長成分が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴とする、光分岐挿入装置。
【請求項４】
該偏波スクランブラが、前記アドポートの経路上に設けられ、前記アドポートを通じて該合波部に入力される信号光をなす波長成分について、偏波状態を回転させることを特徴とする、請求項３記載の光分岐挿入装置。
【請求項５】
該偏波スクランブラが、前記スルーポートの経路上に設けられ、前記スルーポートを通じて該合波部に入力される信号光をなす波長成分について、偏波状態を回転させることを特徴とする、請求項３記載の光分岐挿入装置。
【請求項６】
該偏波スクランブラは、前記のポート位置に応じて複数個設けられたことを特徴とする、請求項４又は５記載の光分岐挿入装置。
【請求項７】
該分波部に入力される信号光について、波長成分ごとの偏波状態の回転用に分波する偏波回転用分波部をそなえるとともに、
該偏波回転用分波部で分波された信号光について波長成分ごとに偏波状態を回転させるべく、該偏波スクランブラが該偏波回転用分波部の出力側に少なくとも一つ設けられ、
かつ、該複数の偏波スクランブラからの出力を合流して該分波部に出力する合流部をそなえたことを特徴とする、請求項３記載の光分岐挿入装置。
【請求項８】
該合波部から出力される信号光について、波長成分ごとの偏波状態の回転用に分波する偏波回転用分波部をそなえるとともに、
該偏波回転用分波部で分波された信号光について波長成分ごとに偏波状態を回転させるべく、該偏波スクランブラが該偏波回転用分波部の出力側に少なくとも一つ設けられ、
かつ、該複数の偏波スクランブラからの出力を合流する合流部をそなえたことを特徴とする、請求項３記載の光分岐挿入装置。
【請求項９】
該偏波スクランブラが複数個設けられるとともに、各偏波スクランブラをなす回転速度制御部は該複数の偏波スクランブラ間で共用するように構成されたことを特徴とする、請求項６〜８のいずれか１項記載の光分岐挿入装置。
【請求項１０】
該回転速度制御部が、当該光分岐挿入装置を含むネットワークを管理する管理装置から前記ネットワークの設定情報を受けるとともに、前記ネットワークの設定情報に基づいて、該偏波状態回転部での前記偏波状態を回転させる速度を制御することを特徴とする、請求項３記載の光分岐挿入装置。
【請求項１１】
前記ドロップポートを通じて出力される信号光の伝送品質をモニタする伝送品質モニタをそなえ、
該回転速度制御部は、
前記管理装置からの前記ネットワークの設定情報をもとに、該伝送品質モニタからのモニタ結果を取得するモニタ結果取得部と、
該伝送品質モニタでのモニタ結果に基づいて、前記偏波状態を回転させる速度をフィードバック制御するフィードバック制御部と、をそなえたことを特徴とする、請求項１０記載の光分岐挿入装置。
【請求項１２】
該分波部が、信号光を複数の波長成分に分波する光デマックス部と、該光デマックス部で分波された複数の波長成分についてそれぞれ２分岐する複数の分配部と、をそなえ、該複数の分配部でそれぞれ２分岐された各一方の波長成分信号光のうちの少なくとも一つについて前記ドロップポートを通じて出力しうるように構成され、
かつ、該合波部が、該複数の分配部で２分岐された各他方の波長成分信号光を前記スルーポートを通じて入力され、前記スルーポートを通じて入力された各他方の波長成分信号光と、複数の前記アドポートを通じて入力された各波長成分単位の信号光と、のいずれか一方をそれぞれ選択的に出力する２×１スイッチを前記波長成分単位に複数そなえるとともに、該複数の２×１スイッチからの出力を合波して出力しうる光マックス部をそなえたことを特徴とする、請求項３記載の光分岐挿入装置。
【請求項１３】
該分波部が、信号光を２分岐する分配部と、該分配部で２分岐された一方の信号光をなす波長成分について分波しそれぞれ前記ドロップポートとなる出力先ポートを複数のうちから選択的に切り換えて出力しうる波長選択スイッチと、をそなえ、
かつ、該合波部が、該分配部で２分岐された他方の信号光を前記スルーポートを通じて入力されるとともに、前記アドポートを通じて前記波長成分単位の信号光を入力され、前記スルーポートからの信号光および前記アドポートからの信号光について、波長成分ごとに選択的に出力しうる波長選択スイッチをそなえたことを特徴とする、請求項３記載の光分岐挿入装置。
【請求項１４】
複数の入力ポートをそなえるとともに、複数の出力ポートをそなえ、該複数それぞれの入力ポートから入力された波長多重信号光について、該複数の出力ポートのうちで、各波長多重信号光の波長成分の方路を選択的に切り換えて波長多重信号光として出力しうる光方路切換装置であって、
該光方路切換装置をなす少なくとも一つの入力ポート又は出力ポートの位置に配置され、波長多重信号光をなす波長成分ごとに偏波状態を回転させる複数の偏波スクランブル装置がそなえられ、
各複数の偏波スクランブル装置が、
入力される前記波長多重信号光について波長成分ごとの偏波状態の回転用に分波する偏波回転用分波部をそなえるとともに、該偏波回転用分波部で分波された信号光について波長成分ごとに偏波状態を回転させる偏波スクランブラが該偏波回転用分波部の出力側に複数個設けられ、かつ、該複数の偏波スクランブラからの出力を合流する合流部をそなえ、
かつ、該複数の偏波スクランブラのそれぞれが、
該波長選択スイッチからの前記波長成分をなす信号光の偏波状態を回転させる偏波状態回転部と、
前記波長成分をなす信号光についての変調の速度および方式ならびに当該信号光が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴とする、光方路切換装置。
【請求項１５】
信号光を波長成分単位に分波するとともに前記分波した波長成分単位の信号光のうち少なくとも一つの波長成分の信号光についてドロップポートを通じて出力しうる分波部と、前記分波した波長成分単位の信号光とともにアドポートを通じて入力された波長成分単位の信号光を合波して出力しうる合波部と、をそなえてなる光分岐挿入装置を伝送路上に有する波長分割多重光伝送システムであって、
該光分岐挿入装置に、当該合波部を通じて出力される対象となる信号光をなす波長成分について、偏波状態を回転させる偏波スクランブラがそなえられ、
かつ、該偏波スクランブラが、
該合波部を通じて出力される対象となる信号光をなす波長成分ごとに偏波状態を回転させる少なくとも一つの偏波状態回転部と、
前記信号光をなす波長成分について、変調の速度および方式ならびに当該波長成分が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴とする、波長分割多重光伝送システム。
【発明の詳細な説明】
【技術分野】
【０００１】
本発明は、偏波スクランブラならびにそれを用いた光分岐挿入装置，光方路切換装置および波長分割多重光伝送システムに関する。
【背景技術】
【０００２】
一般的に、光伝送システムにおける光伝送路に用いられる光シングル・モード・ファイバ（ＳＭＦ：Single Mode Fiber ）では、そのコアは真円ではなくわずかに楕円化しているため、複屈折が生じる。この光ファイバに入力された光信号は、直交する２つの偏波モード成分、すなわち、速波（Fast-wave）軸と遅波（Slow-wave）軸に分離する。
また、速波と遅波に分離した２つの偏波モード成分間では、ファイバ中の伝達速度が異なるため、モード間の郡遅延時間差（ＤＧＤ：Differential Group Delay）が生じる。このモード間の群遅延時間差が生じると、一つの光パルス内でも速波と遅波のズレが生じ、特にパルス間隔の短い高速信号では偏波の状態によっては大きな伝送品質劣化を招く可能性がある。
【０００３】
偏波モード分散（ＰＭＤ：polarization mode Dispersion）は、このように光ファイバに加わるわずかな応力により、断面形状が理想的な真円からずれることで信号波形が歪む現象をいう。又、ＰＭＤには、波長の間にほとんど相関関係がなく、温度やストレスなどの伝送路の環境変化によって経時的に変動する性質を持つ。
現在、１波当りの伝送速度が10 Gb/sの波長分割多重（ＷＤＭ：wavelength division multiplexing）光伝送システムが実用化されており、更には伝送速度40Gb/sの光伝送システムの実用化が検討されている。このような高速な光伝送システムでは、上述のごときＰＭＤによる伝送品質の劣化が無視できなくなり、伝送距離の制限要因の１つとなる。
【０００４】
さらに、データ信号を光変調する変調方式によっては、受信装置を構成するデバイスに伝達速度の偏波依存性が比較的大きいといわれるデバイスを導入しなければならなくなる場合もあり、このような場合には、受信品質の改善のため、上述のＰＭＤに対する対策を講ずる必要性が高くなる。
このようなＰＭＤによる伝送品質劣化を低減させる手法については色々な方法が検討されている。例えば、下記の特許文献１に示すように、送受信器内に偏波スクランブラを用いることにより、ＰＭＤによる最大のペナルティを緩和する方法が考えられている。又、特許文献２および特許文献３には、一対の光送信用および光受信用の装置が伝送路を介して対向するpoint-to-pointの波長多重光通信システムにおいて、伝送路上の中継段において偏波スクランブラを設けた構成について記載されている。
【０００５】
ＰＭＤによる伝送品質劣化は、ＰＭＤを持つ媒体への入力偏波状態によって０から最大まで変化するため、伝送品質劣化にバラツキがあり、伝送品質を一定に保つことが求められる。これに対し、これらの特許文献１〜３に記載された技術においては、入力部分へ偏波スクランブラを適用し入力偏波状態を常にスクランブルさせることにより、ＰＭＤによる伝送品質劣化ペナルティが小さい状態と大きな状態を満遍なく発生させるようになっている。これにより、伝送品質劣化が最良の状態にとどまることもないが、最悪な状態にとどまることもないようにし、システムとして平均の伝送品質を一定以上に保つようにしている。
【０００６】
また、これらの特許文献１〜３に記載された技術においては、偏波スクランブラにおけるスクランブルの速度を、伝送品質劣化が誤り訂正符号の一つの処理単位内で平均化されるのに充分な速度となるようにしている。
その他、本願発明に関連する従来技術として、特許文献４および非特許文献１に記載されたものもある。
【特許文献１】特開２００１−２６８０１０号公報
【特許文献２】特開２００５−２９５５５９号公報
【特許文献３】特開２００５−６５２７３号公報
【特許文献４】特開平９−２７５３７８号公報
【非特許文献１】Zhihong Li, Jinyu Mo, Yi Dong, Yixin Wang, Chao Lu, "Experimental evaluation of the effect of polarization scrambling speed on the performance of PMD mitigation using FEC", OFC2004, MF69, 2004
【発明の開示】
【発明が解決しようとする課題】
【０００７】
しかしながら、光分岐挿入装置（ＯＡＤＭ：Optical Add/Drop Multiplexer）、特に再構成可能な光分岐挿入装置（Ｒ−ＯＡＤＭ：Reconfigurable Optical Add/Drop Multiplexer）や動的な波長切換が可能な光分岐挿入装置（Ｄ−ＯＡＤＭ：Dynamic Optical Add/Drop Multiplexer）、又は、光ＨＵＢ装置を伝送路上に適用する場合は、上述の特許文献１〜３に記載された技術が前提としているpoint-to-point形式の伝送路よりも複雑な伝送路構成となり、どのような信号がどのような経路を伝送されるかは場合によって変わることが想定される。
【０００８】
また、上述の特許文献１〜３に記載された技術においては、スクランブルの速度は伝送品質劣化が誤り訂正符号の一つの処理単位内で平均化されるのに充分な速度でスクランブルさせるようになっているが、一方で高速にスクランブルをさせるということは高速に受信波形を変動させることになるため、受信系での雑音が増加する場合もある。このため、スクランブルの速度の設定を、単に誤り訂正符号の一つの処理単位内で平均化されるのに充分な速度範囲で決めるのみでは、伝送品質を良好に保つことが困難になる場合もある。
【０００９】
特に、上述のごときpoint-to-pointよりも複雑な伝送路構成を有する光通信システムを構築する場合、波長ごとに設定されるパスごとに、最適な偏波スクランブルの速度を設定する必要が生じるが、上述の従来技術においてはそのような構成について開示するものではない。
なお、特許文献３には、変調方式に応じた偏波スクランブラのスクランブル速度について記載され、非特許文献１には、ＰＭＤの値に応じたスクランブル速度について記載されているが、これらの技術においても、波長ごとに設定される複数のパスを収容するＯＡＤＭ装置などの中継装置においてのスクランブル速度を設定する技術についてまでは記載されていない。
【００１０】
すなわち、上述したような光分岐挿入装置やpoint-to-pointよりも複雑な伝送路構成を有する光通信システムを構築する場合、パスの切り換えなどによって、伝送路上の特定の偏波スクランブラを通過する信号光の変調方式，変調速度および当該偏波スクランブラを通過するパスのＰＭＤの値がそれぞれ変動するような場合においても、良好な伝送品質を確保するために、これらの変動に対応して最適に偏波スクランブルを行なうための構成が求められる。
【００１１】
本発明は、このような課題に鑑み創案されたもので、ＰＭＤによる伝送品質の劣化を従来技術よりも改善できるようにすることを目的とする。
また、波長ごとに設定される複数のパスを収容するＯＡＤＭ装置などの中継装置においてパスごとにスクランブル速度を設定できるようにすることを目的とする。
【課題を解決するための手段】
【００１２】
このため、本発明の偏波スクランブラは、信号光の偏波状態を回転駆動させる偏波状態回転部と、前記信号光についての変調の速度および方式ならびに当該信号光が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴としている。
【００１３】
この場合においては、該回転速度制御部を、前記信号光についての変調の速度および方式ならびに当該信号光が伝送されることとなる伝送経路の偏波モード分散の値についての情報を受け取る情報受取部と、信号光についての変調の速度および方式ならびに当該信号光が伝送されることとなる伝送経路の偏波モード分散の値の組み合わせに応じた、前記偏波状態を回転させるべき速度情報を保持する速度テーブルと、該情報受取部で受け取った前記信号光についての変調の速度および方式ならびに当該信号光についての伝送経路の偏波モード分散の値の組み合わせをもとに、該速度テーブルを参照することにより、前記信号光についての偏波状態を回転させるべき速度情報を決定し該偏波状態回転部に対してその旨の制御信号を出力する制御信号出力部と、をそなえ、該偏波状態回転部を、駆動信号に基づいて入力信号光についての偏波状態を回転させる回転部と、該制御信号出力部からの制御信号における速度情報に従って、該回転部での偏波状態の回転を駆動すべく前記駆動信号を該回転部に出力する回転駆動部と、をそなえることができる。
【００１４】
また、本発明の光分岐挿入装置は、信号光を波長成分単位に分波するとともに前記分波した波長成分単位の信号光のうち少なくとも一つの波長成分の信号光についてドロップポートを通じて出力しうる分波部と、前記分波した波長成分単位の信号光をスルーポートを通じて入力されうるとともに、前記入力された信号光を、アドポートを通じて入力される信号光とともに合波して出力しうる合波部と、をそなえるとともに、該合波部を通じて出力される対象となる信号光をなす少なくとも一つの波長成分について偏波状態を回転させる偏波スクランブラがそなえられ、かつ、該偏波スクランブラが、該合波部を通じて出力される対象となる信号光をなす波長成分ごとに偏波状態を回転させる少なくとも一つの偏波状態回転部と、前記信号光をなす波長成分について、変調の速度および方式ならびに当該波長成分が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴としている。
【００１５】
この場合においては、該偏波スクランブラが、前記アドポートの経路上に設けられ、前記アドポートを通じて該合波部に入力される信号光をなす波長成分について、偏波状態を回転させることとしてもよい。又は、前記スルーポートの経路上に設けられ、前記スルーポートを通じて該合波部に入力される信号光をなす波長成分について、偏波状態を回転させることとしてもよい。又、該偏波スクランブラは、前記のポート位置に応じて複数個設けられてもよい。
【００１６】
さらに、該分波部に入力される信号光について、波長成分ごとの偏波状態の回転用に分波する偏波回転用分波部をそなえるとともに、該偏波回転用分波部で分波された信号光について波長成分ごとに偏波状態を回転させるべく、該偏波スクランブラが該偏波回転用分波部の出力側に少なくとも一つ設けられ、かつ、該複数の偏波スクランブラからの出力を合流して該分波部に出力する合流部をそなえることとしてもよい。
【００１７】
また、該合波部から出力される信号光について、波長成分ごとの偏波状態の回転用に分波する偏波回転用分波部をそなえるとともに、該偏波回転用分波部で分波された信号光について波長成分ごとに偏波状態を回転させるべく、該偏波スクランブラが該偏波回転用分波部の出力側に複数個設けられ、かつ、該複数の偏波スクランブラからの出力を合流する合流部をそなえることもできる。
【００１８】
さらに、該偏波スクランブラが複数個設けられるとともに、各偏波スクランブラをなす回転速度制御部は該複数の偏波スクランブラ間で共用するように構成してもよい。
また、該回転速度制御部が、当該光分岐挿入装置を含むネットワークを管理する管理装置から前記ネットワークの設定情報を受けるとともに、前記ネットワークの設定情報に基づいて、該偏波状態回転部での前記偏波状態を回転させる速度を制御することとしてもよい。
【００１９】
また、前記ドロップポートを通じて出力される信号光の伝送品質をモニタする伝送品質モニタをそなえ、該回転速度制御部は、前記管理装置からの前記ネットワークの設定情報をもとに、該伝送品質モニタからのモニタ結果を取得するモニタ結果取得部と、該伝送品質モニタでのモニタ結果に基づいて、前記偏波状態を回転させる速度をフィードバック制御するフィードバック制御部と、をそなえることもできる。
【００２０】
さらに、該分波部が、信号光を複数の波長成分に分波する光デマックス部と、該光デマックス部で分波された複数の波長成分についてそれぞれ２分岐する複数の分配部と、をそなえ、該複数の分配部でそれぞれ２分岐された各一方の波長成分信号光のうちの少なくとも一つについて前記ドロップポートを通じて出力しうるように構成され、かつ、該合波部が、該複数の分配部で２分岐された各他方の波長成分信号光を前記スルーポートを通じて入力され、前記スルーポートを通じて入力された各他方の波長成分信号光と、複数の前記アドポートを通じて入力された各波長成分単位の信号光と、のいずれか一方をそれぞれ選択的に出力する２×１スイッチを前記波長成分単位に複数そなえるとともに、該複数の２×１スイッチからの出力を合波して出力しうる光マックス部をそなえることとしてもよい。
【００２１】
また、該分波部が、信号光を２分岐する分配部と、該分配部で２分岐された一方の信号光をなす波長成分について分波しそれぞれ前記ドロップポートとなる出力先ポートを複数のうちから選択的に切り換えて出力しうる波長選択スイッチと、をそなえ、かつ、該合波部が、該分配部で２分岐された他方の信号光を前記スルーポートを通じて入力されるとともに、前記アドポートを通じて前記波長成分単位の信号光を入力され、前記スルーポートからの信号光および前記アドポートからの信号光について、波長成分ごとに選択的に出力しうる波長選択スイッチをそなえることもできる。
【００２２】
さらに、本発明の光方路切換装置は、複数の入力ポートをそなえるとともに、複数の出力ポートをそなえ、該複数それぞれの入力ポートから入力された波長多重信号光について、該複数の出力ポートのうちで、各波長多重信号光の波長成分の方路を選択的に切り換えて波長多重信号光として出力しうる光方路切換装置であって、該光方路切換装置をなす少なくとも一つの入力ポート又は出力ポートの位置に配置され、波長多重信号光をなす波長成分ごとに偏波状態を回転させる複数の偏波スクランブル装置がそなえられ、各複数の偏波スクランブル装置が、入力される前記波長多重信号光について波長成分ごとの偏波状態の回転用に分波する偏波回転用分波部をそなえるとともに、該偏波回転用分波部で分波された信号光について波長成分ごとに偏波状態を回転させる偏波スクランブラが該偏波回転用分波部の出力側に複数個設けられ、かつ、該複数の偏波スクランブラからの出力を合流する合流部をそなえ、かつ、該複数の偏波スクランブラのそれぞれが、該波長選択スイッチからの前記波長成分をなす信号光の偏波状態を回転させる偏波状態回転部と、前記波長成分をなす信号光についての変調の速度および方式ならびに当該信号光が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴としている。
【００２３】
また、本発明の波長分割多重光伝送システムは、信号光を波長成分単位に分波するとともに前記分波した波長成分単位の信号光のうち少なくとも一つの波長成分の信号光についてドロップポートを通じて出力しうる分波部と、前記分波した波長成分単位の信号光とともにアドポートを通じて入力された波長成分単位の信号光を合波して出力しうる合波部と、をそなえてなる光分岐挿入装置を伝送路上に有する波長分割多重光伝送システムであって、該光分岐挿入装置に、当該合波部を通じて出力される対象となる信号光をなす波長成分について、偏波状態を回転させる偏波スクランブラがそなえられ、かつ、該偏波スクランブラが、該合波部を通じて出力される対象となる信号光をなす波長成分ごとに偏波状態を回転させる少なくとも一つの偏波状態回転部と、前記信号光をなす波長成分について、変調の速度および方式ならびに当該波長成分が伝送されることとなる伝送経路の偏波モード分散の値の組み合わせに応じた、前記偏波状態を回転させるべき速度情報に基づいて、該偏波状態回転部における前記偏波状態の回転速度を制御する回転速度制御部と、をそなえて構成されたことを特徴としている。
【発明の効果】
【００２４】
このように、本発明によれば、偏波スクランブラが回転速度制御部をそなえているので、信号光の変調方式，変調速度およびパスのＰＭＤに応じて、伝送品質が最適となる回転速度で偏波スクランブルを行なうことが可能となり、偏波スクランブルの速度が適切でないために発生する品質劣化を抑圧することができ、偏波スクランブルによるＰＭＤによるペナルティの平均化の効果を充分に活かした伝送品質の高い伝送が可能となる。
【００２５】
また、光分岐挿入装置における合波部を通じて出力される対象となる信号光をなす少なくとも一つの波長成分について、変調方式，変調速度およびパスのＰＭＤに応じて、伝送品質が最適となる回転速度でパスごとに偏波スクランブルを行なうことが可能となり、偏波スクランブルの速度が適切でないために発生する品質劣化を抑圧することができ、偏波スクランブルによるＰＭＤによるペナルティの平均化の効果を充分に活かした伝送品質の高い伝送が可能となる。
【発明を実施するための最良の形態】
【００２６】
以下、図面を参照することにより、本発明の実施の形態について説明する。
なお、本発明は下記の実施形態の内容に限定されるものではない。又、上述の本願発明の目的のほか、他の技術的課題，その技術的課題を解決する手段及び作用効果についても、以下の実施の形態による開示によって明らかとなる。
〔Ａ１〕第１実施形態の説明
図１は本発明の第１実施形態にかかる偏波スクランブラを示すブロック図である。この図１に示す偏波スクランブラ１は、例えば図３に示すような光分岐挿入装置としてのＯＡＤＭノード１０１〜１０４が伝送路１００Ａ上に設けられてなる波長分割多重光伝送システム１００において、各ＯＡＤＭノード１０１〜１０４に搭載されうるものであって、入力される信号光の変調方式，変調速度およびパスのＤＧＤ（またはＰＭＤの値）の変動に応じてスクランブルの速度を可変設定することができるようになっている。
【００２７】
すなわち、この図３に示すＯＡＤＭノード１０１〜１０４はそれぞれ、分岐挿入機能部１１１をそなえるとともに、偏波スクランブラ１をそなえる。
分岐挿入機能部１１１は、入力側の伝送路１００Ａを介し伝送入力ポート１１１ｉを通じて入力された波長分割多重信号光について、波長成分信号光をドロップポート１１１ｄを通じて出力したり、アドポート１１１ａを通じて入力される波長成分信号光とともに波長分割多重して、伝送出力ポート１１１ｏを通じて出力側の伝送路１００Ａへ出力したりすることができるものである。
【００２８】
また、偏波スクランブラ１は、ＯＡＤＭノード１０１〜１０４における分岐挿入機能部１１１をなす合波部出力、即ち伝送出力ポート１１１ｏを通じて出力される対象となる信号光をなす少なくとも一つの波長成分について偏波状態を回転させることが可能となる位置に配置される。
具体的には、第１実施形態においては、分岐挿入機能部１１１におけるアドポート１１１ａの位置に、当該アドポート１１１ａから出力側の伝送路１００Ａに出力される波長成分信号光についての偏波状態を回転させるためのものである。そして、この偏波スクランブラ１は、アドポート１１１ａの数に対応して複数そなえることができる。
【００２９】
すなわち、アドポート１１１ａごとに配置された偏波スクランブラ１により、アドポート１１１ａを通じて送出される光信号について偏波状態を回転させて、ＰＭＤによる伝送品質劣化ペナルティが小さい状態と大きな状態を満遍なく発生させるようにして、伝送品質を良好かつ安定化させることができるようになる。
また、アドポート１１１ａに配置される各偏波スクランブラ１としては、図１に示すように、信号光の偏波状態を回転駆動させる偏波状態回転部２と、信号光についての変調の速度および方式ならびに当該信号光が伝送されることとなる伝送経路の偏波モード分散の値に基づいて、偏波状態回転部２における偏波状態の回転速度を制御する回転速度制御部３とをそなえている。
【００３０】
ここで、回転速度制御部３は、情報受取部４，速度テーブル５および制御信号出力部６をそなえて構成される。情報受取部４は、信号光についての変調の速度および方式ならびに当該信号光が伝送されることとなる伝送経路の偏波モード分散の値についての情報を受け取るものである。具体的には、これらの情報について回転速度制御部３での回転速度の制御のための条件情報として受け取り保持するものであり、例えばオペレータ等により入力された情報について保持する記憶装置により構成することができる。
【００３１】
また、速度テーブル５は、信号光についての変調の速度および方式ならびに信号光が伝送されることとなる伝送経路の偏波モード分散の値の組み合わせに応じた、偏波状態を回転させるべき速度情報を保持するものであり、例えば図２に示すような構成を有している。即ち、この図２に示す速度テーブル５においては、信号光についての変調方式ごとに、変調速度および伝送経路の偏波モード分散の値に対応した偏波回転の速度についてマトリクス構成で記憶するようになっており、この速度テーブル５に記憶される偏波回転速度で偏波回転させることにより、信号光の伝送品質を最適にすることができる。
【００３２】
なお、速度テーブル５に記憶される内容については、該当ＯＡＤＭノード１０１〜１０４におけるアドポート１１１ａから送出されうる信号光変調の速度および方式ならびに、当該信号光が伝送されることとなる伝送経路の偏波モード分散の値の組み合わせごとに、予め、最適な伝送品質となる偏波回転速度を測定またはシミュレーションによりに割り出しておく。又、収容される端局の仕様変更等により信号光変調の速度および方式等に新たなメニューを加える場合には、対応する偏波回転速度についても測定ないしシミュレーションにより割り出して、適宜速度テーブル５の内容を更新することができる。
【００３３】
制御信号出力部６は、情報受取部４で受け取った信号光についての変調の速度および方式ならびに当該信号光についての伝送経路の偏波モード分散の値の組み合わせをもとに、速度テーブル５を参照することにより、信号光についての偏波状態を回転させるべき速度情報を決定し偏波状態回転部２に対してその旨の制御信号を出力するものである。具体的には、偏波状態回転部２への制御信号として、回転速度に反映される周波数を持つ正弦波信号を出力する。
【００３４】
また、前述したように、伝送品質を最適にする偏波回転速度は、ＯＡＤＭ１０１〜１０４をなすアドポート１１１ａから挿入される信号光が伝送されることとなる伝送経路から定められる偏波モード分散値（又はＤＧＤ値）とともに、当該信号光の変調方式［例えばＮＲＺ（Non Return to Zero）やＤＰＳＫ（Differential Phase Shift Keying）等］および変調速度によって異なる。
【００３５】
分岐挿入機能部１１１における各アドポート１１１ａにチャンネル単位の信号光が入力される場合には、各アドポート１１１ａの位置に応じて、伝送先への伝送経路を定めることができる。従って、アドポート１１１ａの位置に応じて伝送経路の偏波モード分散値（又はＤＧＤ値）についても定められる。そして、アドポート１１１ａの位置に応じて信号光の変調方式や変調速度についても定められる。従って、伝送品質を最適にするような偏波回転速度についても、アドポート１１１ａの位置に応じて定めることができるのである。
【００３６】
上述の情報受取部４は、上述のごとくアドポート１１１ａの位置ごとに挿入される信号光の伝送経路ならびに変調の方式および速度についての情報を保持することができるようになっている。そして、制御信号出力部６においては、情報受取部４で受け取ったアドポート１１１ａの位置ごとの信号光の伝送経路ならびに変調の方式および速度についての情報をもとに、当該アドポート１１１ａからの信号光の伝送品質が最適となるように偏波回転駆動すべく、偏波状態回転部２に対して制御信号を出力するのである。
【００３７】
また、偏波状態回転部２は、この図１に示すように、駆動信号に基づいて入力信号光についての偏波状態を回転させる回転部７と、制御信号出力部６からの制御信号における速度情報に従って、回転部７での偏波状態の回転を駆動すべく駆動信号を回転部７に出力する回転駆動部８と、をそなえている。回転駆動部８から回転部７への駆動信号は、制御信号出力部６からの制御信号と同様の周波数を持つ正弦波信号として回転部７に供給される。即ち、駆動信号に与えられる周波数により回転部７での偏波状態の回転速度が設定制御されるようになる。
【００３８】
尚、上述の偏波回転制御部３としての構成については、アドポート１１１ａ位置に複数設けられる偏波スクランブラ１間において共用化した構成とすることができ、これにより、装置構成のコンパクト化に寄与する。
図４〜図７はそれぞれ本発明の第１実施形態におけるＯＡＤＭノード１０１〜１０４の構成例を示す図である。
【００３９】
まず、図４に示す構成例としてのＯＡＤＭノード１３１においては、図３に示す分岐挿入機能部１１１に相当する分岐挿入機能部１１１Ａをそなえるとともに、分岐挿入機能部１１１Ａのアドポート１１１ａの位置に偏波スクランブラ１がそなえられる。分岐挿入機能部１１１Ａとしては、分波器からなるデマックス（ＤＥＭＵＸ）部１１５および合波器からなるマックス（ＭＵＸ）部１１６をそなえて構成される。デマックス部１１５は、伝送入力ポート１１１ｉを通じて入力された波長分割多重信号光を波長成分単位に分波するとともに分波した波長成分単位の信号光のうち少なくとも一つの波長成分の信号光についてドロップポートを通じて出力しうる分波部を構成する。又、マックス部１１６は、デマックス部１１５で分波した波長成分単位の信号光をスルーポート１１１ｔを通じて入力されうるとともに、このスルーポート１１１ｔを通じて入力された信号光を、アドポート１１１ａを通じて入力される波長成分単位の信号光とともに合波（波長分割多重）して出力しうる合波部を構成する。
【００４０】
このとき、アドポート１１１ａを通じてマックス部１１６に入力される波長成分単位の信号光について、該当する位置に設けられる偏波スクランブラ１で偏波状態を回転させることにより、伝送品質を良好に保つことができるようになる。
また、図５に示す構成例としてのＯＡＤＭノード１３２においては、再構成を可能とするＲ−ＯＡＤＭ（Reconfigurable-OADM）をなす分岐挿入機能部１１１Ｂをそなえるとともに、分岐挿入機能部１１１Ｂのアドポート１１１ａの位置に偏波スクランブラ１がそなえられる。分岐挿入機能部１１１Ｂは、デマックス部１１５およびマックス部１１６とともに、光カプラ１１７および２×１スイッチ１１８をそなえて構成される。
【００４１】
ここで、光デマックス部１１５は信号光を複数の波長成分に分波するもので、光カプラ１１７は、光デマックス部１１５で分波された複数の波長成分ごとに設けられて、光デマックス部１１５で分波された波長成分信号光をそれぞれ２分岐する分配部である。従って、上述のデマックス部１１５および光カプラ１１７により、各光カプラ１１７でそれぞれ２分岐した波長成分信号光のうちの一方の波長成分信号光をスルーポート１１１ｔを通じて後段のマックス部１１６側に出力するとともに他方をドロップ信号として出力しうるように構成された分波部を構成する。
【００４２】
さらに、２×１スイッチ１１８は、複数の分配部としての光カプラ１１７で２分岐された各他方の波長成分信号光を、スルーポート１１１ｔを通じて入力され、このスルーポート１１１ｔからの各他方の波長成分信号光と、複数のアドポート１１１ａを通じて入力された各波長成分単位の信号光と、のいずれか一方をそれぞれ選択的に出力するものであって、波長成分単位に切換を行なうことができるように複数そなえている。又、マックス部１１６は、上述の複数の２×１スイッチ１１８において選択的に出力された信号光を合波（波長分割多重）して、伝送出力ポート１１１ｏを通じて出力しうるものである。従って、上述の複数の２×１スイッチ１１８および光マックス部１１６により合波部を構成する。
【００４３】
このとき、アドポート１１１ａおよび２×１スイッチ１１８を通じてマックス部１１６に入力される波長成分単位の信号光について、対応する偏波スクランブラ１で偏波状態を回転させることにより、伝送品質を良好に保つことができるようになる。
さらに、図６に示す構成例としてのＯＡＤＭノード１３３においては、Ｄ−ＯＡＤＭ（Dynamic-OADM）を構成する分岐挿入機能部１１１Ｃをそなえるとともに、分岐挿入機能部１１１Ｃのアドポート１１１ａの位置に偏波スクランブラ１がそなえられる。この分岐挿入機能部１１１Ｃは、分波部として光カプラ１１９および１つのドロップ側第１波長選択スイッチ（ＷＳＳ：Wavelength Selective Switch）１２０および複数（図６の場合には４つ）のドロップ側第２波長選択スイッチ１２１をそなえており、かつ、合波部として複数（図６の場合には４つ）アド側第１波長選択スイッチ１２２および１つのアド側第２波長選択スイッチ１２３をそなえている。
【００４４】
ここで、光カプラ１１９は、伝送入力ポート１１１ｉを通じて入力された波長分割多重信号光を２分岐する分配部をなすものであり、ドロップ側第１波長選択スイッチ１２０は、光カプラ１１９で２分岐された一方の波長分割多重信号光について、波長成分単位に複数（図６においては４つ）の出力ポートのうちのいずれかへ選択的に出力しうるものである。更に、ドロップ側第２波長選択スイッチ１２１は、上述のドロップ側第１波長選択スイッチ１２０の各出力ポートに接続されて、それぞれドロップ側第１波長選択スイッチ１２０から出力された信号光について波長成分単位に複数（図６においては４つ）のドロップポート１１１ｄに対応した出力ポートのいずれかへ選択的に出力しうるものである。従って、上述の波長選択スイッチ１２０，１２１が協働することにより、光カプラ１１９で２分岐された一方の信号光をなす波長成分について分波しそれぞれドロップポート１１１ｄとなる出力先ポートを複数のうちから選択的に切り換えて出力しうる波長選択スイッチを構成する。
【００４５】
また、アド側第１波長選択スイッチ１２２は、複数（図６の場合においては１６個）のアドポート１１１ａをなす信号光方路を分担して接続されて（図６の場合には４個ずつ分担して接続されて）、それぞれの信号光方路からの挿入信号光について選択的に切り換えてアド側第２波長選択スイッチ１２３へ出力するものである。アド側第２波長選択スイッチ１２３は、上述の各アド側第１波長選択スイッチ１２２から出力された信号光方路が接続されるとともに、光カプラ１１９で２分岐された他方の信号光方路がスルーポート１１１ｔを通じて接続されて、これらの信号光方路からの信号光について波長成分単位に選択的に切り換えて伝送出力ポート１１１ｏを通じて出力するものである。従って、上述の波長選択スイッチ１２２，１２３が協働することにより、光カプラ１１９で２分岐された他方の信号光をスルーポート１１１ｔを通じて入力されるとともに、アドポート１１１ａを通じて波長成分単位の信号光を入力され、スルーポート１１１ｔからの信号光およびアドポート１１１ａからの信号光について、波長成分ごとに選択的に出力しうる波長選択スイッチを構成する。
【００４６】
このとき、アドポート１１１ａおよび波長選択スイッチ１２２，１２３を通じて伝送出力ポート１１１ｏから出力される波長分割多重信号光をなす波長成分ごとの信号光について、対応するアドポート１１１ａの経路上に設けられた偏波スクランブラ１で偏波状態を回転させることにより、伝送品質を良好に保つことができるようになる。
また、図７に示す構成例としてのＯＡＤＭノード１３４にそなえられた分岐挿入機能部１１１Ｄにおいては、前述の図６に示すものと同様の分岐挿入機能部（符号１１１Ｃ参照）としての構成に加えて、偏波スクランブラ１を、アド側第１波長選択スイッチ１２２およびアド側第２波長選択スイッチ１２３の間の経路上（アドポートの経路上）に設けたものである。尚、その他の構成については前述の図６の場合と基本的に同様であり、図７中、図６と同一の符号はほぼ同様の部分を示している。この図７に示すように、偏波スクランブラ１としては、分岐挿入機能部のアドポート位置に限らずアドポートから挿入されスルーポートからの信号光と合波される前段の光経路上（アドポートの経路上）に設けるようにしてもよい。
【００４７】
なお、この図７に示すものにおいては、同一のアド側第１波長選択スイッチ１２２からアド側第２波長選択スイッチ１２３に入力される信号光については、同一の偏波スクランブラ１で偏波状態が回転されるようになっている。
上述の構成により、本発明の第１実施形態における波長分割多重伝送システム１００においては、各ＯＡＤＭノード１０１〜１０４をなす分岐挿入機能部１１１において信号光の分岐挿入が行なわれるが、アドポート１１１ａを通じて伝送出力ポート１１１ｏに出力される信号光については、偏波スクランブラ１において、当該信号光の変調の方式および速度ならびに伝送先の伝送経路が有するＰＭＤの値に基づいて設定制御された回転速度で偏波状態が回転される。
【００４８】
図８は、上述の波長分割多重光伝送システム１００における伝送経路に応じたＰＭＤの値の例について説明するための図である。ＯＡＤＭノード１０１およびＯＡＤＭノード１０２の間の区間ＡでのＰＭＤの値をａ［ps］、ＯＡＤＭノード１０２およびＯＡＤＭノード１０３の間の区間ＢでのＰＭＤの値をｂ［ps］、ＯＡＤＭノード１０３およびＯＡＤＭノード１０４の間の区間ＣでのＰＭＤの値をｃ［ps］とすると、それぞれのパス♯１〜♯６のＰＭＤの値は次のようになる。
【００４９】
即ち、パス♯１〜♯３としての区間Ａ〜Ｃでは、それぞれＰＭＤの値はａ［ps］〜ｃ［ps］であり、パス♯４としての区間Ａ＋区間Ｂでは、ＰＭＤの値は式（１）のようになり、パス♯５としての区間Ｂ＋区間ＣではＰＭＤの値は式（２）のようになり、パス♯６としての区間Ａ＋区間Ｂ＋区間ＣではＰＭＤの値は式（３）のようになる。このように、ＰＭＤの値は伝送経路として使用するパス♯１〜♯６によって様々な値を持つことになる。
【００５０】
【数１】
0004750613.tif 000002
そこで、第１実施形態においては、偏波スクランブラ１により、アドポート１１１ａの経路ごとに独立して偏波回転速度を可変に設定制御できるようにして、パスによって変動するＰＭＤの値に応じた、そして当該アドポート１１１ａを通過する信号光の変調方式および変調速度（又はビットレート）に応じた、伝送品質を最適にする偏波回転動作を実現することができる。
【００５１】
このとき、各偏波スクランブラ１においては、図９のフローチャートに示すように、偏波回転制御部３をなす情報受取部４において、該当アドポート１１１ａに設定されるパスについての変調方式および変調速度ならびにパスのＰＭＤの値について取得する（ステップＡ１，Ａ２）。そして、制御信号出力部６において、取得した変調方式および変調速度ならびにＰＭＤの値に基づいて、速度テーブル５を参照することにより偏波状態回転部２における偏波状態回転速度を取得しつつ（ステップＡ３）、取得した偏波状態回転速度で入力信号光に対する偏波状態を回転させるべく制御信号を出力する。これにより、アドポート１１１ａに設定されるパスに応じた信号光の偏波回転駆動を偏波状態回転部２で行なわせることができる（ステップＡ４）。
【００５２】
このように、本発明の第１実施形態によれば、偏波スクランブラ１により、各ＯＡＤＭノード１０１〜１０４のアドポート１１１ａに入力される信号のそれぞれに対し、最適となる偏波スクランブルを適用することが可能となり、偏波スクランブルの速度が適切でないために発生する品質劣化を抑圧することができ、偏波スクランブルによるＰＭＤによるペナルティの平均化の効果を充分に活かした伝送品質の高い伝送が可能となる。
【００５３】
〔Ａ２〕第１実施形態の第１変形例の説明
図１０は本発明の第１実施形態の第１変形例が適用される波長分割多重伝送システム２００を示す図である。この図１０に示す波長分割多重伝送システム２００をなすＯＡＤＭノード２０１〜２０４についても、前述の第１実施形態の場合と同様に、分岐挿入機能部１１１とともに偏波スクランブラ１をそなえている。
【００５４】
しかしながら、ＯＡＤＭノード２０１〜２０４は、前述の第１実施形態におけるＯＡＤＭノード１０１〜１０４とは異なり、アドポート１１１ａの経路上に設けられた偏波スクランブラ１をなす回転速度制御部３（図１参照）が、当該ＯＡＤＭノード２０１〜２０４を含む波長分割多重伝送システム２００を管理するＮＭＳ（Network Management System）等の管理装置１０から、波長分割多重伝送システム２００の設定情報を受けるとともに、この波長分割多重伝送システム２００の設定情報に基づいて、偏波状態回転部２での偏波状態を回転させる速度を制御することができるようになっている。
【００５５】
このために、偏波スクランブラ１における回転速度制御部３をなす情報受取部４においては、管理装置１０から該当アドポート１１１ａにおけるパスの設定情報として、信号光の変調方式および速度ならびにパスのＰＭＤの値について通知を受けて、これらの情報について保持するようになっている。
ここで、波長分割多重伝送システム２００が動的なＯＡＤＭシステム、即ち、どのような信号がどのような経路を伝送されるかが時間的に動的に変化することを許容するネットワークである場合には、波長分割多重伝送システム２００を伝搬する信号光に対し最適な偏波スクランブルの速度も時間的に動的に変化させる必要がある。これに対し、図１０に示す変形例においては、管理装置１０から該当アドポート１１１ａにおけるパスの設定情報を受け取っているので、各偏波スクランブラ１では、そこから求められる最適な偏波スクランブル速度を設定することができるようになる。
【００５６】
すなわち、例えば図１１のフローチャートに示すように、パスの設定に変更が生じ、ネットワーク構成に変化が生じた場合には（ステップＢ１のＮＯルート，ステップＢ２のＹＥＳルート）、随時管理装置１０から変更にかかるパスの設定情報を、当該パスにおけるアドポート位置に配置された偏波スクランブラ１で受け取ることができるので（ステップＢ３，Ｂ４）、当該偏波スクランブラ１の回転速度制御部３においては、パス設定、ネットワーク構成の変更に対応して、偏波状態回転部２による偏波状態の回転速度についても変更させることができるようになる（ステップＢ５，Ｂ６）。
【００５７】
〔Ａ３〕第１実施形態の第２変形例の説明
図１２は本発明の第１実施形態の第２変形例が適用される波長分割多重伝送システム３００を示す図である。この図１２に示す変形例においても、図１０に示す変形例と同様に、波長分割多重伝送システム３００を管理する管理装置１０がそなえられ、波長分割多重伝送システム３００をなす各ＯＡＤＭノード３０１〜３０４についても、分岐挿入機能部１１１とともに偏波スクランブラ１をそなえている。
【００５８】
しかしながら、ＯＡＤＭノード３０１〜３０４は、前述の図１０に示すＯＡＤＭノード２０１〜２０４とは異なり、ドロップポート１１１ｄの経路上に伝送品質モニタ２０が設けられ、この伝送品質モニタ２０により、ドロップポート１１１ｄを通じて出力される信号光の伝送品質をモニタするようになっている。この伝送品質モニタ２０としては、アドポート１１１ａの経路上にそなえられる偏波スクランブラ１に対応して、当該アドポート１１１ａに設定されるパスと同じパスであって反対側方向のパスについてドロップさせるポート位置に配置する。
【００５９】
これにより、図１に示すように、制御信号出力部６で速度テーブル５を参照することにより、回転部７での最適な回転速度を取得し、制御信号を回転駆動部８に供給することで回転速度を設定制御した後、制御信号出力部６では、伝送品質モニタ２０でのモニタ結果をフィードバック要素として回転駆動部８への制御信号に与えるようになっており、これにより、更に回転速度を高精度に設定することができるようになる。
【００６０】
すなわち、制御信号出力部６では、偏波スクランブラ１で偏波状態を回転させた信号光を伝送させる伝搬経路（例えば前述の図８におけるパス♯１〜♯６）における、当該信号光とは反対方向の信号光の伝送品質についてのモニタ結果を、該当ドロップポート１１１ｄにそなえられた伝送品質モニタ２０から取り込む。そして、このモニタ結果をフィードバック要素として回転駆動部８へ制御信号を出力する。
【００６１】
回転駆動部８への制御信号の正弦波周期が回転部７での回転速度に反映されることになるので、制御信号出力部６では、伝送品質モニタ２０でのモニタ結果をもとに、伝送品質が改善されるように回転駆動部８への制御信号の正弦波周期を変化させる。
なお、上述の各偏波スクランブラ１が設けられるアドポート１１１ａの経路に設定されるパスと同一のパスであって反対方向の信号光をドロップさせるドロップポート１１１ｄに関する情報、即ちフィードバック制御のための対となる偏波スクランブラ１および伝送品質モニタ２０がそれぞれそなえられるアドポート１１１ａおよびドロップポート１１１ｄの組み合わせ情報については、管理装置１０からの通知を受けて情報受取部４で保持しておくことができる。
【００６２】
したがって、回転速度制御部３をなす制御信号出力部６は、管理装置１０からのネットワークの設定情報をもとに、伝送品質モニタ２０からのモニタ結果として、入力信号光が伝送されることとなる伝送経路における信号光伝送品質にかかるモニタ結果を取得するモニタ結果取得部としての機能を有するとともに、伝送品質モニタ２０でのモニタ結果に基づいて、偏波状態を回転させる速度をフィードバック制御するフィードバック制御部としての機能を有している。
【００６３】
このように構成されたＯＡＤＭノード３０１〜３０４においては、例えば図１３のフローチャートに示すように、パスの設定に変更が生じ、ネットワーク構成に変化が生じた場合や（ステップＣ１のＮＯルート，ステップＣ２のＹＥＳルート）、または初期設定の回転速度で偏波状態回転部２が回転動作している場合においては、アドポート１１１ａにそなえられた偏波スクランブラ１をなす制御信号出力部６では、伝送品質モニタ２０からのモニタ結果を取り込むことにより、入力信号光が伝送されることとなる伝送経路における信号光伝送品質にかかるモニタ結果を取得する。更に、制御信号出力部６では、取得したモニタ結果に基づき、回転駆動部８への制御信号をなす正弦波周波数を適宜調整することにより、伝送品質が最適となるように偏波回転速度をフィードバック制御する（ステップＣ３，Ｃ４）。
【００６４】
これにより、上述の第１実施形態、第１変形例の場合と同様の利点を得ることができるほか、更に偏波回転速度を伝送品質が良好となるように制御することができるようになる。
なお、伝送品質モニタ２０からのモニタ結果のフィードバック要素としての取り込みは、常に行なうこととしてもよいし、ネットワーク構成に変化が生じた場合にのみ行なうこととしてもよい。
【００６５】
〔Ｂ１〕第２実施形態の説明
図１４は本発明の第２実施形態にかかる光分岐挿入装置としてのＯＡＤＭノード４０１〜４０４が伝送路１００Ａ上に設けられてなる波長分割多重伝送システム４００を示す図である。第２実施形態においては、前述の第１実施形態の場合と異なり、各ＯＡＤＭノード４０１〜４０４におけるアドポート１１１ａの経路上ではなく、スルーポート１１１ｔの経路上に前述の図１に示すものと同様の偏波スクランブラ１が搭載されるようになっている。尚、偏波スクランブラ１の搭載位置以外の構成については、前述の第１実施形態の場合と基本的に同様である。
【００６６】
このスルーポート１１１ｔの経路上に配置される偏波スクランブラ１により、波長分割多重伝送システム４００上のＯＡＤＭノード４０１〜４０４における上述のスルーポート１１１ｔを通過するパスにおける信号光の偏波状態を、波長単位に割り当てられたパスごとに回転速度を設定してスクランブルすることができ、更に、パスの変調方式および速度ならびにパスのＰＭＤの値に応じて、信号光の伝送品質を最適にする回転速度を設定することができるようになる。
【００６７】
図１５はＯＡＤＭノード４０１〜４０４の構成について説明するための図である。この図１５に示すＯＡＤＭノード４３１においては、前述の図４に示すものと同様のデマックス部１１５およびマックス部１１６からなる分岐挿入機能部としての構成（符号１１１Ａ参照）に、スルーポート１１１ｔの位置に偏波スクランブラ１が付加されている。このように構成されたＯＡＤＭノード４３１においては、スルーポート１１１ｔの位置に設けられた偏波スクランブラ１によりパスに応じた伝送品質を最適にする偏波スクランブルを行なうことができる。
【００６８】
図１６〜図１９はＯＡＤＭノード４０１〜４０４の構成の変形例について説明するための図である。この図１６に示すＯＡＤＭノード４３２においては、前述の図５に示すものと同様の再構成可能な分岐挿入機能部としての構成（図５の符号１１１Ｂならびに図５および図１６の符号１１５〜１１８参照）に加えて、光デマックス部１１５で分波された各波長成分が各光カプラ１１７に入力される段での経路上に偏波スクランブラ１が備えられている。
【００６９】
すなわち、光デマックス部１１５および光カプラ１１７の間のスルーポート１１１ｔに導かれる経路上において偏波スクランブラ１をそなえ、スルーポート１１１ｔを通じて２×１スイッチ１１８に入力される波長単位の信号光について、前述の第１実施形態の場合と同様に偏波状態を回転させることができるので、伝送品質を良好にすることができる。
また、図１７，図１８に示すＯＡＤＭノード４３３，４３４においても、前述の図５に示すものと同様の再構成可能な分岐挿入機能部としての構成（図５の符号１１１Ｂならびに図５および図１７，図１８の符号１１５〜１１８参照）をそなえているが、図１７に示すものにおいては更に光カプラ１１７と２×１スイッチ１１８間のスルーポート１１１ｔ位置に偏波スクランブラ１が備えられている。又、図１８に示すものにおいては２×１スイッチ１１８の出力とマックス部１１６との間のスルーポート１１１ｔから導かれた経路上の位置に偏波スクランブラ１が備えられている。
【００７０】
すなわち、これら図１７，図１８に示すＯＡＤＭノード４３３，４３４においても、スルーポート１１１ｔの経路上に偏波スクランブラ１がそなえられ、マックス部１１６を通じて伝送出力ポート１１１ｏから出力されることとなる信号光の偏波状態について、前述の第１実施形態の場合と同様に回転させることができるので、前述の第１実施形態の場合と同様に、伝送品質を良好にすることができる。
【００７１】
図１９に示すＯＡＤＭノード４３５においては、前述の図７に示すものと同様のＤ−ＯＡＤＭとしての分岐挿入機能部の構成（図７の符号１１１Ｄならびに図７および図１９の符号１１９〜１２３参照）に加えて、光カプラ１１９で分岐して合波部をなすＷＳＳ１２２へ通じる光経路に偏波スクランブラ１が介装されたものである。
なお、光カプラ１１９で分岐した光経路を伝搬する信号光は、伝送入力ポート１１１ｉに入力される信号光と同様の波長成分を有し、波長分割多重されている。換言すれば、光カプラ１１９で分岐した信号光は、ＰＭＤの値の異なる複数の光伝送経路を辿ることになり、又各信号光間においては変調方式や速度が異なることも想定する必要がある。この図１９に示すＯＡＤＭノード４３５においては、光カプラ１１９から出力される信号光について、波長成分ごとの偏波状態の回転用に分波する偏波回転用分波部としてのＷＳＳ３１をそなえるとともに、ＷＳＳ３１で分波された信号光について波長成分ごとに偏波状態を回転させるべく、偏波スクランブラ１がＷＳＳ３１の出力側に複数個設けられ、かつ、複数の偏波スクランブラ１からの出力を合流する合流部としての光カプラ３２をそなえている。
【００７２】
これにより、複数の偏波スクランブラ１において、各波長成分の信号光について、その変調形式、速度および光伝送経路のＰＭＤの値に即した回転速度で偏波状態を回転させることができるので、各波長成分の信号光の伝送品質を向上させることができる。尚、ＷＳＳ３１に代えて、波長分割多重信号光を波長成分ごとに分波する機能を持つ光デマルチプレクサをそなえて構成することとしてもよく、又波長成分ごとの光を合流する機能を実現するために、光カプラ３２に代えて、ＷＳＳをそなえて構成したり光マルチプレクサをそなえて構成したりすることとしてもよい。
【００７３】
このように、本発明の第２実施形態によれば、偏波スクランブラ１により、各ＯＡＤＭノード４０１〜４０４のスルーポート１１１ｔを通過する信号をなす波長成分に対し、最適となる偏波スクランブルを適用することが可能となり、偏波スクランブルの速度が適切でないために発生する品質劣化を抑圧することができ、偏波スクランブルによるＰＭＤによるペナルティの平均化の効果を充分に活かした伝送品質の高い伝送が可能となる。
【００７４】
〔Ｂ２〕第２実施形態の第１変形例の説明
図２０は本発明の第２実施形態の第１変形例が適用される波長分割多重伝送システム５００を示す図である。この図２０に示す波長分割多重伝送システム５００をなすＯＡＤＭノード５０１〜５０４についても、前述の第２実施形態の場合におけるＯＡＤＭノード４０１〜４０４と同様の構成をそなえている。
【００７５】
しかしながら、ＯＡＤＭノード５０１〜５０４においては、スルーポート１１１ｔの経路上に設けられた偏波スクランブラ１をなす回転速度制御部３（図１参照）が、当該ＯＡＤＭノード５０１〜５０４を含む波長分割多重伝送システム５００を管理するＮＭＳ（Network Management System）等の管理装置１０から、前述の第１実施形態の第１変形例の場合と同様に波長分割多重伝送システム５００の設定情報を受けるとともに、この波長分割多重伝送システム５００の設定情報に基づいて、偏波状態回転部２での偏波状態を回転させる速度を制御することができるようになっている。
【００７６】
このために、偏波スクランブラ１における回転速度制御部３をなす情報受取部４においては、管理装置１０から該当アドポート１１１ａにおけるパスの設定情報として、信号光の変調方式および速度ならびにパスのＰＭＤの値について通知を受けて、これらの情報について保持するようになっている。
ここで、波長分割多重伝送システム５００が動的なＯＡＤＭシステム、即ち、どのような信号がどのような経路を伝送されるかが時間的に動的に変化することを許容するネットワークである場合には、波長分割多重伝送システム５００を伝搬する信号光に対し最適な偏波スクランブルの速度も時間的に動的に変化させる必要がある。これに対し、図２０に示す変形例においては、管理装置１０から該当アドポート１１１ａにおけるパスの設定情報を受け取っているので、各偏波スクランブラ１では、そこから求められる最適な偏波スクランブル速度を設定することができるようになる。
【００７７】
〔Ｂ３〕第２実施形態の第２変形例の説明
図２１は本発明の第２実施形態の第２変形例が適用される波長分割多重伝送システム６００を示す図である。この図２１に示す変形例においても、図２０に示す変形例と同様に、波長分割多重伝送システム６００を管理する管理装置１０がそなえられ、波長分割多重伝送システム６００をなす各ＯＡＤＭノード６０１〜６０４についても、前述の第２実施形態の場合におけるＯＡＤＭノード４０１〜４０４と同様の構成をそなえている。
【００７８】
しかしながら、ＯＡＤＭノード６０１〜６０４は、前述の図２０に示すＯＡＤＭノード５０１〜５０４とは異なり、ドロップポート１１１ｄの経路上に前述の図１２に示すものと同様の伝送品質モニタ２０が設けられ、この伝送品質モニタ２０により、ドロップポート１１１ｄを通じて出力される信号光の伝送品質をモニタするようになっている。この伝送品質モニタ２０としては、スルーポート１１１ｔの経路上にそなえられる偏波スクランブラ１に対応して、当該スルーポート１１１ｔに設定されるパスと同じパスであって反対側方向のパスについてドロップさせるポート位置に配置する。
【００７９】
これにより、図１に示すように、制御信号出力部６で速度テーブル５を参照することにより、回転部７での最適な回転速度を取得し、制御信号を回転駆動部８に供給することで回転速度を設定制御した後、制御信号出力部６では、伝送品質モニタ２０でのモニタ結果をフィードバック要素として回転駆動部８への制御信号に与えるようになっており、これにより、更に回転速度を高精度に設定することができるようになる。
【００８０】
すなわち、制御信号出力部６では、ドロップポート１１１ｄにそなえられた伝送品質モニタ２０からドロップ光の伝送品質のモニタ結果を取り込む。そして、このモニタ結果をフィードバック要素として回転駆動部８へ制御信号を出力する。回転駆動部８への制御信号の正弦波周期が回転部７での回転速度に反映されることになるので、制御信号出力部６では、伝送品質モニタ２０でのモニタ結果をもとに、伝送品質が改善されるように回転駆動部８への制御信号の正弦波周期を変化させる。
【００８１】
なお、伝送品質のモニタ結果を取り込むべきドロップ光については、管理装置１０からの通知にしたがって選択的に切り換えることができる。
したがって、回転速度制御部３をなす制御信号出力部６は、管理装置１０からのネットワークの設定情報をもとに、伝送品質モニタ２０からのモニタ結果を取得するモニタ結果取得部としての機能を有するとともに、伝送品質モニタ２０でのモニタ結果に基づいて、偏波状態を回転させる速度をフィードバック制御するフィードバック制御部としての機能を有している。
【００８２】
このように構成されたＯＡＤＭノード６０１〜６０４においては、パスの設定に変更が生じ、ネットワーク構成に変化が生じた場合や、またはスルーポート１１１ｔにそなえられた偏波スクランブラ１をなす偏波状態回転部２が初期設定の回転速度で回転動作している場合においては、当該偏波スクランブラ１をなす制御信号出力部６では、伝送品質モニタ２０からのモニタ結果を取り込んで取得する。更に、制御信号出力部６では、取得したモニタ結果に基づき、回転駆動部８への制御信号をなす正弦波周波数を適宜調整することにより、伝送品質が最適となるように偏波回転速度をフィードバック制御する。
【００８３】
これにより、上述の第２実施形態、第２実施形態の第１変形例の場合と同様の利点を得ることができるほか、更に偏波回転速度を伝送品質が良好となるように制御することができるようになる。
なお、伝送品質モニタ２０からのモニタ結果のフィードバック要素としての取り込みは、常に行なうこととしてもよいし、ネットワーク構成に変化が生じた場合にのみ行なうこととしてもよい。
【００８４】
〔Ｃ〕第３実施形態の説明
図２２は本発明の第３実施形態にかかる光分岐挿入装置としてのＯＡＤＭノード７０１を示す図である。第３実施形態においては、前述の第１，第２実施形態の場合と異なり、ＯＡＤＭノード７０１の伝送入力ポート１１１ｉの位置（経路上）に偏波スクランブル装置４０を搭載するものである。
【００８５】
すなわち、この図２２に示すＯＡＤＭノード７０１においては、前述の図４に示すものと同様のデマックス部１１５およびマックス部１１６からなる分岐挿入機能部としての構成（符号１１１Ａ参照）に加え、伝送入力ポート１１１ｉの位置に上述の偏波スクランブル装置４０が付加されている。
ここで、偏波スクランブル装置４０は、ＷＳＳ４１，前述の図１に示す構成を有する少なくとも一つの（図２２中においては複数の）偏波スクランブラ１および光カプラ４２により構成されている。ＷＳＳ４１は、分波部としてのデマックス部１１５に入力される信号光について、波長成分ごとの偏波状態の回転用に分波する偏波回転用分波部である。尚、上述のＷＳＳ４１に代えて、少なくとも伝送入力ポート１１１ｉに入力される信号光を波長成分ごとに分波する光デマルチプレクサにより構成することとしてもよい。
【００８６】
また、複数の偏波スクランブラ１は、ＷＳＳ４１で分波された信号光について波長成分ごとに偏波状態を回転させるべく、ＷＳＳ４１における複数の出力ポートごとに設けられることが可能である。尚、光カプラ４２は、偏波スクランブラ１で偏波回転された信号光について合流されていない場合にはＷＳＳ４１で分波された信号光をそのまま合流させるようになっている。この光カプラ４２は、上述の複数の偏波スクランブラ１からの出力を合流してデマックス部１１５に出力する合流部として構成される。尚、光カプラ４２に代えて、ＷＳＳをそなえて構成したり、または光マルチプレクサをそなえて構成したりすることとしてもよい。
【００８７】
この伝送入力ポート１１１ｉの経路上に配置される偏波スクランブラ１により、上述の伝送入力ポート１１１ｉを通過するパスにおける信号光の偏波状態を、波長単位に割り当てられたパスごとに回転速度を設定してスクランブルすることができ、更に、パスの変調方式および速度ならびにパスのＰＭＤの値に応じて、信号光の伝送品質を最適にする回転速度を設定することができるようになり、前述の第１，第２実施形態の場合と同様に、信号光の伝送品質を向上させることができるようになる。
【００８８】
なお、上述の伝送入力ポート１１１ｉの位置に偏波スクランブル装置４０を搭載する構成は、図２３に示すように、再構成可能な光分岐挿入機能（Ｒ−ＯＡＤＭ機能）を有するＯＡＤＭノード７０２にも同様に適用することができる。この図２３に示すＯＡＤＭノード７０２は、前述の図５に示すものと同様の再構成可能な分岐挿入機能部としての構成（図５の符号１１１Ｂならびに図５および図２３の符号１１５〜１１８参照）に加えて、図２２と同様の偏波スクランブル装置４０が備えられたものである。
【００８９】
また、上述の伝送入力ポート１１１ｉの位置に偏波スクランブル装置４０を搭載する構成は、図２４に示すように、Ｄ−ＯＡＤＭ機能を有するＯＡＤＭノード７０３にも同様に適用することができる。図２４に示すＯＡＤＭノード７０３においては、前述の図７に示すものと同様のＤ−ＯＡＤＭとしての分岐挿入機能部の構成（図７の符号１１１Ｄならびに図７および図２４の符号１１９〜１２３参照）に加えて、図２２と同様の偏波スクランブル装置４０が備えられたものである。
【００９０】
〔Ｄ〕第４実施形態の説明
図２５は本発明の第４実施形態にかかる光分岐挿入装置としてのＯＡＤＭノード８０１を示す図である。第４実施形態においては、第３実施形態にかかるＯＡＤＭノード７０１（図２２参照）とは異なり、伝送出力ポート１１１ｏの位置（経路上）に偏波スクランブル装置４０を搭載するものである。
【００９１】
すなわち、この図２５に示すＯＡＤＭノード８０１においては、前述の図４に示すものと同様のデマックス部１１５およびマックス部１１６からなる分岐挿入機能部としての構成（符号１１１Ａ参照）に加え、伝送出力ポート１１１ｏの位置に上述の偏波スクランブル装置４０が設けられている。
この伝送出力ポート１１１ｏの経路上に配置される（偏波スクランブル装置４０における）偏波スクランブラ１により、上述の伝送入力ポート１１１ｏを通過するパスにおける信号光の偏波状態を、波長単位に割り当てられたパスごとに回転速度を設定してスクランブルすることができ、更に、パスの変調方式および速度ならびにパスのＰＭＤの値に応じて、信号光の伝送品質を最適にする回転速度を設定することができるようになり、前述の第１〜第３実施形態の場合と同様に、信号光の伝送品質を向上させることができるようになる。
【００９２】
なお、上述の伝送出力ポート１１１ｏの位置に偏波スクランブル装置４０を搭載する構成は、図２６に示すように、再構成可能な光分岐挿入機能（Ｒ−ＯＡＤＭ機能）を有するＯＡＤＭノード８０２にも同様に適用することができる。この図２３に示すＯＡＤＭノード８０２は、前述の図５に示すものと同様の再構成可能な分岐挿入機能部としての構成（図５の符号１１１Ｂならびに図５および図２３の符号１１５〜１１８参照）に加えて、図２５と同様の偏波スクランブル装置４０が備えられたものである。
【００９３】
また、上述の伝送出力ポート１１１ｏの位置に偏波スクランブル装置４０を搭載する構成は、図２７に示すように、Ｄ−ＯＡＤＭ機能を有するＯＡＤＭノード８０３にも同様に適用することができる。図２７に示すＯＡＤＭノード８０３においては、前述の図７に示すものと同様のＤ−ＯＡＤＭとしての分岐挿入機能部の構成（図７の符号１１１Ｄならびに図７および図２７の符号１１９〜１２３参照）に加えて、図２５と同様の偏波スクランブル装置４０が備えられたものである。
【００９４】
〔Ｅ〕第５実施形態の説明
図２８は本発明の第５実施形態にかかる光方路切換装置（光ＨＵＢ）９０１を示す図である。この図２８に示す光方路切換装置９０１は、複数（図２８に示すものにおいては４つ）の入力ポート♯１１〜♯１４をそなえるとともに、複数（図２８に示すものにおいては４つ）の出力ポート♯２１〜♯２４をそなえ、それぞれの入力ポートから入力された波長分割多重信号光について、複数の出力ポートのうちで、各波長多重信号光の波長成分の方路を選択的に切り換えて、各出力ポート♯２１〜♯２４ごとに波長多重信号光として束ねて出力することができるものである。
【００９５】
そして、第５実施形態における光方路切換装置９０１においては、波長多重信号光をなす波長成分ごとに偏波状態を回転させる偏波スクランブル装置４０が、光方路切換装置９０１をなす入力ポートの位置に少なくとも一つ（第５実施形態の場合においては各入力ポートに一つずつで合計４つ）そなえられており、これにより、光方路切換装置９０１に入力される波長分割多重信号光の偏波状態を回転させることができるようになっている。
【００９６】
なお、この光方路切換装置９０１の入力ポート位置に配置される偏波スクランブル装置４０については、前述の第３実施形態の場合と基本的に同様である。即ち、光方路切換装置９０１の入力ポート位置には、前述の第１実施形態の場合と同様の構成を有する偏波スクランブラ１（図１参照）が構成要素としてそなえられている。
また、入力ポート位置に対応して備えられた光カプラ９１１〜９１４は、それぞれの入力ポートを通じて入力された波長分割多重信号光について２分岐するものである。尚、図２８に示す光方路切換装置９０１においては、各入力ポートを通じて入力される波長分割多重信号光は、対応するポート位置に配置される偏波スクランブル装置４０において波長成分単位で偏波状態が回転されている。
【００９７】
また、ＷＳＳ９２１〜９２４はそれぞれ、光カプラ９１１〜９１４で２分岐された波長分割多重信号光の一方について分波し、対向する出力ポート位置以外の出力ポートに通じる複数（この場合には３つ）の方路のいずれかへ選択的に切り換えて出力することができるようになっている。
たとえば、入力ポート♯１１からの光を分波するＷＳＳ９２１では、対向出力ポート♯２１以外の出力ポート♯２２〜♯２４のいずれかへ通じる出力方路へ選択的に切り換えて出力する。同様に、入力ポート♯１２〜♯１４からの光を分波するＷＳＳ９２２〜９２４では、それぞれ対向出力ポート♯２２〜♯２４以外の３つの出力ポートのいずれかへ通じる出力方路へ選択的に切り換えて出力する。
【００９８】
さらに、出力が出力ポート♯２１〜♯２４にそれぞれ対応付けられるＷＳＳ９３１〜９３４は、それぞれ、対向する入力ポート♯１１〜♯１４からの波長分割多重光信号の分岐光を光カプラ９１１〜９１４から入力されるとともに、対向する入力ポート以外の３つの入力ポートからの波長分割多重信号光について分波する３つのＷＳＳからの信号光を入力されて、これらの入力された信号光のうちで出力ポート♯２１〜♯２４を通じて出力すべき信号光を選択的に切り換えて出力する。
【００９９】
たとえば、出力が出力ポート♯２１に対応付けられるＷＳＳ９３１は、対向する入力ポート♯１１からの波長分割多重光信号の分岐光を光カプラ９１１から入力されるとともに、対向する入力ポート♯１１以外の３つの入力ポート♯１２〜♯１４からの波長分割多重信号光について分波する３つのＷＳＳ９２２〜９２４からの信号光を入力されて、これらの入力された信号光のうちで出力ポート♯２１を通じて出力すべき信号光を選択的に切り換えて出力する。
【０１００】
このように構成された光方路切換装置９０１においては、それぞれの入力ポート♯１１〜♯１４から入力された波長分割多重信号光について、複数の出力ポート♯２１〜♯２４のうちで、各波長多重信号光の波長成分の方路を選択的に切り換えて、出力ポート♯２１〜♯２４ごとに波長多重信号光として束ねて出力することができる。
このとき、４つの入力ポート♯１１〜♯１４の経路上に配置される偏波スクランブル装置４０、言い換えれば偏波スクランブル装置４０における構成要素としての偏波スクランブラ１により、入力ポートに入力される信号光の偏波状態を、波長単位に回転速度を設定してスクランブルすることができ、更に、波長毎の変調方式および速度ならびにパスのＰＭＤの値に応じて、信号光の伝送品質を最適にする回転速度を設定することができるようになり、信号光の伝送品質を向上させることができるようになる。
【０１０１】
したがって、本発明の第５実施形態においても、偏波スクランブラ１により、波長毎の変調方式および速度ならびにパスのＰＭＤの値に応じて、信号光の伝送品質を最適にする回転速度を設定することができるようになり、信号光の伝送品質を向上させることができる利点がある。
なお、上述の第５実施形態における光方路切換装置９０１においては、波長多重信号光をなす波長成分ごとに偏波状態を回転させる偏波スクランブル装置４０が、光方路切換装置９０１をなす各入力ポート♯１１〜♯１４の位置に一つずつ合計４つそなえられているが、本発明によれば、例えば図２９に示す光方路切換装置９０２のように、光方路切換装置９０２をなす各出力ポート♯２１〜♯２４の位置に一つずつ合計４つそなえることとしてもよく、このようにしても上述の第５実施形態の場合と同様の利点を得ることができる。尚、図２９に示す光方路切換装置９０２においても、図２８に示す光方路切換装置９０１と同様の光カプラ９１１〜９１４，ＷＳＳ９２１〜９２４およびＷＳＳ９３１〜９３４をそなえている。
【０１０２】
また、上述の図２８又は図２９に示す光方路切換装置９０１，９０２においては、入力ポートを４つとし出力ポートを４つとして構成されているが、本発明によればその他の入出力ポート数からなる光方路切換装置として構成することも可能である。
〔Ｆ〕その他
上述した各実施形態にかかわらず、本発明の趣旨を逸脱しない範囲において種々変形して実施することが可能である。
【０１０３】
たとえば、上述の各実施形態において、ＯＡＤＭノードの構成要素であるデマックス部１１５およびマックス部１１６については、ＷＳＳにより構成することができる。
また、上述した実施形態の開示により、当業者であれば本発明の装置を製造することは可能である。
【図面の簡単な説明】
【０１０４】
【図１】本発明の第１実施形態にかかる偏波スクランブラを示すブロック図である。
【図２】本発明の第１実施形態にかかる偏波スクランブラの要部を示す図である。
【図３】本発明の第１実施形態にかかる波長分割多重光伝送システムを示す図である。
【図４】本発明の第１実施形態におけるＯＡＤＭノード（光分岐挿入装置）の構成例を示す図である。
【図５】本発明の第１実施形態におけるＯＡＤＭノード（光分岐挿入装置）の構成例を示す図である。
【図６】本発明の第１実施形態におけるＯＡＤＭノード（光分岐挿入装置）の構成例を示す図である。
【図７】本発明の第１実施形態におけるＯＡＤＭノード（光分岐挿入装置）の構成例を示す図である。
【図８】第１実施形態における波長分割多重光伝送システムにおける伝送経路に応じたＰＭＤの値の例について説明するための図である。
【図９】第１実施形態における偏波スクランブラの動作を説明するためのフローチャートである。
【図１０】第１実施形態の変形例を示す図である。
【図１１】図１０に示す第１実施形態の変形例の動作を説明するためのフローチャートである。
【図１２】第１実施形態の変形例を示す図である。
【図１３】図１２に示す第１実施形態の変形例の動作を説明するためのフローチャートである。
【図１４】本発明の第２実施形態にかかる波長分割多重光伝送システムを示す図である。
【図１５】本発明の第２実施形態におけるＯＡＤＭノード（光分岐挿入装置）を示す図である。
【図１６】本発明の第２実施形態におけるＯＡＤＭノード（光分岐挿入装置）の変形例を示す図である。
【図１７】本発明の第２実施形態におけるＯＡＤＭノード（光分岐挿入装置）の変形例を示す図である。
【図１８】本発明の第２実施形態におけるＯＡＤＭノード（光分岐挿入装置）の変形例を示す図である。
【図１９】本発明の第２実施形態におけるＯＡＤＭノード（光分岐挿入装置）の変形例を示す図である。
【図２０】第２実施形態の変形例を示す図である。
【図２１】第２実施形態の変形例を示す図である。
【図２２】本発明の第３実施形態におけるＯＡＤＭノード（光分岐挿入装置）を示す図である。
【図２３】本発明の第３実施形態におけるＯＡＤＭノード（光分岐挿入装置）の変形例を示す図である。
【図２４】本発明の第３実施形態におけるＯＡＤＭノード（光分岐挿入装置）の変形例を示す図である。
【図２５】本発明の第４実施形態におけるＯＡＤＭノード（光分岐挿入装置）を示す図である。
【図２６】本発明の第４実施形態におけるＯＡＤＭノード（光分岐挿入装置）の変形例を示す図である。
【図２７】本発明の第４実施形態におけるＯＡＤＭノード（光分岐挿入装置）の変形例を示す図である。
【図２８】本発明の第５実施形態における光方路切換装置を示す図である。
【図２９】本発明の第５実施形態における光方路切換装置の変形例を示す図である。
【符号の説明】
【０１０５】
１    偏波スクランブラ
２    偏波状態回転部
３    回転速度制御部
４    情報受取部
５    速度テーブル
６    制御信号出力部
７    回転部
８    回転駆動部
１０    管理装置
２０    伝送品質モニタ
３１，４１    ＷＳＳ
３２，４２    光カプラ
４０    偏波スクランブル装置
１００，２００，３００，４００，５００，６００    波長分割多重光伝送システム
１００Ａ    伝送路
１０１〜１０４，１３１〜１３４，２０１〜２０４，３０１〜３０４，４０１〜４０４，４３１〜４３５，５０１〜５０４，６０１〜６０４，７０１〜７０３，８０１〜８０３
ＯＡＤＭノード（光分岐挿入装置）
１１１，１１１Ａ〜１１１Ｄ    分岐挿入機能部
１１１ａ    アドポート
１１１ｄ    ドロップポート
１１１ｉ    伝送入力ポート
１１１ｔ    スルーポート
１１１ｏ    伝送出力ポート
１１５    光デマックス部
１１６    光マックス部
１１７，１１９    光カプラ
１１８    ２×１スイッチ
１２０〜１２３    ＷＳＳ
９０１，９０２    光方路切換装置
【図１】
0004750613.tif 000003
【図２】
0004750613.tif 000004
【図３】
0004750613.tif 000005
【図４】
0004750613.tif 000006
【図５】
0004750613.tif 000007
【図６】
0004750613.tif 000008
【図７】
0004750613.tif 000009
【図８】
0004750613.tif 000010
【図９】
0004750613.tif 000011
【図１０】
0004750613.tif 000012
【図１１】
0004750613.tif 000013
【図１２】
0004750613.tif 000014
【図１３】
0004750613.tif 000015
【図１４】
0004750613.tif 000016
【図１５】
0004750613.tif 000017
【図１６】
0004750613.tif 000018
【図１７】
0004750613.tif 000019
【図１８】
0004750613.tif 000020
【図１９】
0004750613.tif 000021
【図２０】
0004750613.tif 000022
【図２１】
0004750613.tif 000023
【図２２】
0004750613.tif 000024
【図２３】
0004750613.tif 000025
【図２４】
0004750613.tif 000026
【図２５】
0004750613.tif 000027
【図２６】
0004750613.tif 000028
【図２７】
0004750613.tif 000029
【図２８】
0004750613.tif 000030
【図２９】
0004750613.tif 000031